(57)【要約】      （修正有）【課題】発熱した使い捨てカイロの温度を調節し、あるいは密閉することによって発熱を押さえることができる使い捨てカイロ収納袋を提供する。【解決手段】使い捨てカイロを収納する収納袋であって、開口部端縁とその近傍にファスナーを上下二段に設け、上段のファスナーにはファスナーを咬合又は係合させるスライダーを配設することによって通気口の大きさを変更して温度を調節し、発熱を押さえるときは、上下二段のファスナーを全部閉じる。前記スライダーと開口端縁部には温度を調節するスライダーの位置決め用マーク２８を付してなる。そして、前記上下二段のファスナーは、上段のファスナーがレールファスナーであり、下段のファスナーが雌雄爪型ファスナーであってもよいし、上段のファスナーおよび下段のファスナーとも雌雄爪型ファスナーであってもよい。【選択図】図１
0003119322.tif 000002
【実用新案登録請求の範囲】
【請求項１】
使い捨てカイロを収納する収納袋であって、開口部端縁とその近傍にファスナーを上下二段に設け、上段のファスナーにはファスナーを咬合又は係合させるスライダーを配設してなり、前記スライダーと開口端縁部には温度を調節するスライダーの位置決め用マークを付してなることを特徴とする使い捨てカイロ収納袋。
【請求項２】
上下二段のファスナーは、上段のファスナーがレールファスナーであり、下段のファスナーが雌雄爪型ファスナーであることを特徴とする請求項１に記載の使い捨てカイロ収納袋。
【請求項３】
上下二段のファスナーは、上段のファスナーおよび下段のファスナーとも雌雄爪型ファスナーであることを特徴とする請求項１に記載の使い捨てカイロ収納袋。
【請求項４】
温度を調節するスライダーの位置決め用マークは、低温、中温、高温の３種類であることを特徴とする請求項１〜３のいずれか１項に記載の使い捨てカイロ収納袋。
【請求項５】
温度を調節するスライダーの位置決め用マークは、１０度刻みに設定したことを特徴とする請求項１〜３のいずれか１項に記載の使い捨てカイロ収納袋。
【請求項６】
スライダーは、天板に左右側板と、前記左右側板の中間に左右側板よりも長さ寸法が短い仕切板を一体に形成し、左右側板の内面は、開口部よりも中央部を狭幅に形成し、ファスナーを咬合又は係合する押圧力が付与できる間隔幅としたことを特徴とする請求項１〜５のいずれか１項に記載の使い捨てカイロ収納袋。
【考案の詳細な説明】
【技術分野】
【０００１】
本考案は、使い捨てカイロを収納し、発熱温度の調節を可能とした使い捨てカイロ収納袋に関するものである。
【背景技術】
【０００２】
従来、各種の大きさや種類の使い捨てカイロが使用されている。従来の使い捨てカイロは、通気性のある中袋に鉄粉、水、活性炭、木粉及び塩類等を原料とした酸化発熱体を充填し、さらに、前記発熱体を充填した使い捨てカイロ本体をビニール袋に入れて密封している。そして、これを使用するときは、図７に示すように、ビニール袋１を破いて使い捨てカイロ本体２を取り出し、通気性のある中袋２ａに空気を入れることによって発熱体を発熱させる。
【０００３】
従来の使い捨てカイロは、外側のビニール袋１を破いて使い捨てカイロ本体２を取り出すと、中袋全体が通気性を有するので通気性を遮断することができず、使い切ってしまうことになる。
【０００４】
通常、５．５ｃｍ×９ｃｍ程度の小型の使い捨てカイロで、６時間程度持続可能とされているが、使い捨てカイロ自体で温度調節をすることはできない。使い捨てカイロを使用する人は、必ずしも長時間体を温める必要がない場合があり、また、使用する部位や、気温によって温度を調節したい場合もある。
【０００５】
そこで、温度調節を可能とした使い捨てカイロが提案されている。このような使い捨てカイロに、例えば、特開平１０−１０８８７５号に記載の「使い捨てカイロ及びその容器」があり、特開２００３−７０８２７号に記載の「使い捨てカイロ用温度調節具および使い捨てカイロ」がある。
【０００６】
前者の特開平１０−１０８８７５号記載の使い捨てカイロは、中袋の表面に、それぞれ異なる通気性を持つカバーをその突出部を持って引っ張ることで容易にはがれる状態で、その通気性が大きい順に積層状に複数枚張り合わせてなり、使用時に剥がす前記カバーの枚数により発熱体の発熱温度を可変させる手段を備えたものである。
【０００７】
また、後者の特開２００３−７０８２７号に記載の使い捨てカイロ用温度調節具は、使い捨てカイロの通気面を覆うように貼ることができる貼着面を有する密閉シートと、この密閉シートに複数の通気孔を形成させることができる通気口形成部と、前記密閉シートの貼着面に該貼着面を覆うように貼り付けられた剥離シートとからなることを特徴とする。
【特許文献１】特開平１０−１０８８７５号公報（要約書）
【特許文献２】特開２００３−７０８２７号公報（要約書）
【考案の開示】
【考案が解決しようとする課題】
【０００８】
ところで、特許文献１に記載されたような使い捨てカイロでは、通気性カバーを剥がすことで所望する発熱温度が得られ、その後さらに発熱温度を高めることはできるものの、発熱温度を下げたり、密閉して発熱を押さえることはできない。
【０００９】
また、特許文献２に記載されたような使い捨てカイロ用温度調節具では、密閉シートに形成された通気口形成部を開口させる数を選択することによって発熱温度を調節することができる。しかしながら、特許文献１と同様に、一度発熱した後に、発熱温度を下げたり、密閉して発熱を押さえることはできない。
【００１０】
そこで、本考案は、発熱した使い捨てカイロの温度を気温や使用する部位に応じて上げたり、下げたりすることができるばかりでなく、密閉することによって発熱を押さえ、数時間又は数日後に再度使用することができるようにした使い捨てカイロ収納袋を提供することを課題とする。
【課題を解決するための手段】
【００１１】
本考案に係る使い捨てカイロ収納袋は、使い捨てカイロを収納する収納袋であって、開口部端縁とその近傍にファスナーを上下二段に設け、上段のファスナーにはファスナーを咬合又は係合させるスライダーを配設してなり、前記スライダーと開口端縁部には温度を調節するスライダーの位置決め用マークを付してなることを特徴とする。前記上下二段のファスナーは、上段のファスナーがレールファスナーであり、下段のファスナーが雌雄爪型ファスナーであってもよいし、上段のファスナーおよび下段のファスナーとも雌雄爪型ファスナーであってもよい。
【００１２】
また、本考案に係る使い捨てカイロ収納袋に付される温度を調節するスライダーの位置決め用マークは、低温、中温、高温の３種類とすることができる。また、上段のファスナーに配設されるスライダーは、天板に左右側板と、前記左右側板の中間に左右側板よりも長さ寸法が短い仕切板を一体に形成し、左右側板の内面は、開口部よりも中央部を狭幅に形成し、ファスナーを咬合又は係合する押圧力が付与できる間隔幅とすることができる。
【考案の効果】
【００１３】
収納袋の通気口の大きさを変更することによって、内部に収納した使い捨てカイロの発熱温度を自由に上げたり下げたりすることができ、使用する部位や外気温度によって調節することができる。従って、快適な温度で使用することができ、絶対低温火傷等も防止することができる。また、絶対低温火傷等が防止できることから、低温で死滅するといわれている低温治療にも利用することができる。
【００１４】
また、通気口の大きさは、ファスナーのスライダーをスライドさせるだけで変更することができ、操作が容易である。また、使い捨てカイロの表面にシートを貼着するのではないから、複数種類の大きさの使い捨てカイロを収納することができる。
【考案を実施するための最良の形態】
【００１５】
以下、図面を参照して本考案に係る使い捨てカイロ収納袋の実施の形態を説明する。参照する図面において、図１は第１実施形態に係る使い捨てカイロ収納袋の正面図、図２は同じく部分拡大斜視図、図３はスライダーの横断面図である。
【００１６】
図１に示すように、第１実施形態に係る収納袋１０は、上端が開口した長方形状の袋であって、通常の使い捨てカイロを収納できる大きさに形成されている。収納袋１０の上部には、開口端にレールファスナー２０が設けられ、前記レールファスナー２０の下方に雌雄爪型ファスナー３０が設けられている。
【００１７】
前記レールファスナー２０と雌雄爪型ファスナー３０は、ファスナー形成シート１１に一体に形成されており、前記ファスナー形成シート１１に袋本体１２が接着されている。なお、前記レールファスナー２０と雌雄爪型ファスナー３０は、ファスナー形成シート１１を介さず直接袋本体１２に形成してもよい。
【００１８】
前記レールファスナー２０は、上向きレール２１と下向きレール２２とからなり、前記上向きレール２１と下向きレール２２は、スライダー２３に挿入されている。スライダー２３をスライドさせることによって、前記上向きレール２１と下向きレール２２は互いに咬合し、あるいは咬合が解除される。
【００１９】
前記スライダー２３は、図２及び図３に示すように、天板２４に左右側板２５、２６と、左右側板２５、２６よりも長さ寸法が短い仕切板２７を一体に形成することによって構成されている。右側板２６の一端側には、前記下向きレール２２の下面を支持する支持板２６ａが設けられており、同じく仕切板２７にも上向きレール２１の下面を支持する支持板２７ｄが設けられており、それぞれ略Ｌ字状に形成されている。
【００２０】
さらに、前記左右側板２５、２６の内面は、前記上向きレール２１と下向きレール２２を咬合させることができるように、両端側から中央に向かって互いに接近する方向に膨出した湾曲面２５ｂ，２６ｂに形成されている。前記湾曲面２５ｂ，２６ｂの最も狭い部分の幅寸法は、上向きレール２１と下向きレール２２を咬合させる押圧力が付与できる間隔幅となっている。
【００２１】
通気口の大きさを変えることによって発熱温度を調節することができるように、レールファスナー２０と雌雄爪型ファスナー３０の間に、温度を調節するスライダーの位置決め用マーク２８が設けられている。前記スライダーの位置決め用マーク２８は、例えば、マーク２８ａを低温、マーク２８ｂを中温、マーク２８ｃを高温の順で付されている。
【００２２】
なお、前記スライダーの位置決め用マーク２８は、前記上向きレール２１と下向きレール２２のいずれか一方の側面または両方の側面に直接設けてもよい。この場合には、スライダー２３の端面を合わせるようにすればよい。また、温度を調節するスライダーの位置決め用マーク２８は、任意の温度に設定することが可能であり、例えば、１０度刻みに設定してもよい。
【００２３】
そして、スライダー２３を低温２８ａの目盛までスライドさせたときは、例えば、約４０度となるように設定しておき、中温２８ｂの目盛までスライドさせたときは、例えば、約５５度となるように設定しておき、高温２８ｃの目盛までスライドさせたときは、例えば、約７０度となるように設定しておけばよい。
【００２４】
次に、雌雄爪型ファスナー３０について説明する。雌雄爪型ファスナー３０は、図２に示すように、雌型突状３１と雄型突状３２とをファスナー形成シート１１の対向する面に突設することによって構成されている。
【００２５】
前記雌型突状３１は、係止突状３１ａ，３１ａの間に係合溝３１ｂを形成することによって構成されている。また、前記雄型突状３２は、前記係合溝３１ｂに係合する係合突状３２ａによって形成されている。前記係合溝３１ｂおよび係合突状３２ａは断面円形状に形成されているが、これに限定されるものではなく、係合可能であれば楕円形、四角形等であってもよい。
【００２６】
次いで、上記実施形態の作用について説明すると、まず、収納袋１０の開口部を開口させる。収納袋１０を開口させるには、スライダー２３を閉じた状態から他端部にスライドさせ、さらに雌雄爪型ファスナー３０の雌型突状３１と雄型突状３２の係合状態を解除する。このようにして開口させた収納袋１０に、ビニール袋１から取り出した使い捨てカイロ本体２を収納する。
【００２７】
その後、スライダー２３を適宜の位置にスライドさせて通気口の大きさを調節すればよい。使い捨てカイロ本体２の発熱温度を調節するには、スライダー２３を閉める方向にスライドさせれば温度を下げることができ、スライダー２３を開ける方向にスライドさせれば温度を上げることができ、自由に発熱温度を調節することができる。
【００２８】
また、使い捨てカイロの発熱を中止させる場合には、雌型突状３１と雄型突状３２を係合させることによって雌雄爪型ファスナー３０全体を閉じ、さらにスライダー２３をスライドさせてレールファスナー２０全体を閉じればよい。雌雄爪型ファスナー３０とレールファスナー２０を閉じることによって、収納袋１０は完全に密閉されることになり、使い捨てカイロの発熱を押さえることができる。
【００２９】
さらに、再度使い捨てカイロを使用するときには、スライダー２３をスライドさせてレールファスナー２０を開けると共に、雌雄爪型ファスナー３０も開ければよい。収納袋１０の開口部が開けられて通気口が形成されることによって空気が入り、使い捨てカイロを再び発熱させることができる。
【００３０】
このようにして、使い捨てカイロの発熱作用が続く限り、発熱温度を調節しながら何回にも分けて使用することが可能であり、例えば、１日２時間ずつ３日に分けて使用することも可能である。しかも、発熱温度を任意の温度に設定することができるから、使用部位に応じて適宜調節すればよい。保温用のみでなく低温治療にも利用することができる。
【００３１】
図４〜図６は、本考案の第２実施形態を示す。第１実施形態では、レールファスナー２０と雌雄爪型ファスナー３０を上下に配設したのに対して、第２実施形態では、雌雄爪型ファスナー３０を上下に配設した点において異なる。従って、雌雄爪型ファスナー３０の構成については、第１実施形態において説明したので、同一構成については同一符号を付してその説明は省略する。
【００３２】
上段の雌雄爪型ファスナー３０を開閉するスライダー３３について説明する。スライダー３３は、図４〜図６に示すように、天板３４に左右側板３５、３６と、左右側板３５、３６よりも長さ寸法が短い仕切板３７を一体に形成することによって構成されている。
【００３３】
さらに、前記左右側板３５、３６の内面は、前記雌雄爪型ファスナー３０の雌型突状３１と雄型突状３２を係合させることができるように、両端側から中央に向かって互いに接近する方向に膨出した湾曲面３５ａ，３６ａに形成されている。前記湾曲面３５ａ，３６ａの最も狭い部分の幅寸法は、雌型突状３１と雄型突状３２を係合させる押圧力が付与できる間隔幅となっている。
【００３４】
上記第２実施形態の作用については、第１実施形態についての説明と実質的に同様であるから、重複を避けるためにその説明は省略する。
なお、この第２実施形態におけるスライダー３３は、スライダー２３の支持板２６ａ，２７ａのような係止片は設けられていないから、容易に着脱することが可能であり、スライダー３３を取り外した場合には、上段の雌雄爪型ファスナー３０も端部まで完全に密閉することができるという利点がある。
【００３５】
なお、下段における雌雄爪型ファスナー３０は、密着と剥離を繰り返し行うことができる構造であれば、上記実施形態に限定されるものではない。従って、面ファスナーのように対向する両面に粘着層を形成したものであってもよい。
【図面の簡単な説明】
【００３６】
【図１】本考案の第１実施形態に係る収納袋の正面図である。
【図２】図１に示した収納袋の部分拡大斜視図である。
【図３】第１実施形態におけるスライダーの横断面図である。
【図４】第２実施形態の部分拡大斜視図である。
【図５】第２実施形態におけるスライダーの正面図である。
【図６】同じく第２実施形態におけるスライダーの横断面図である。
【図７】従来の使い捨てカイロの一例を示す説明図である。
【符号の説明】
【００３７】
１０：収納袋
１１：ファスナー形成シート
１２：袋本体
２０：レールファスナー
２１：上向きレール
２２：下向きレール
２３：スライダー
２４：天板
２５：左側板
２６：右側板
２７：仕切板
２８：スライダーの位置決め用マーク
３０：雌雄爪型ファスナー
３１：雌型突状
３２：雄型突状
３３：スライダー
３５：左側板
３６：右側板
３７：仕切板
【図１】
0003119322.tif 000003
【図２】
0003119322.tif 000004
【図３】
0003119322.tif 000005
【図４】
0003119322.tif 000006
【図５】
0003119322.tif 000007
【図６】
0003119322.tif 000008
【図７】
0003119322.tif 000009